(57)【要約】【課題】緊急停止制御機能をオプション的に追加可能な構成とし、緊急停止制御機能を備えた空気調和機、備えていない空気調和機の選択を簡易化できる空気調和機を提供することを目的とする。【解決手段】室外ユニット２に少なくとも１台以上の室内ユニット３Ａ，３Ｂが渡りガス配管４と渡り液配管５とを介して接続されている空気調和機１において、室外ユニット２側の冷媒回路２２に設けたガス側操作弁１９および液側操作弁２０の近傍で渡りガス配管４および渡り液配管５に、ガス側閉止弁３６および液側閉止弁３５が設けられ、室外制御装置２７に、緊急停止信号に基づいて液側閉止弁３５を閉止し、冷房サイクルとして運転を継続させ、低圧圧力が設定圧に達したとき、ガス側閉止弁３６を閉止するとともに、空気調和機１の運転を停止する緊急停止制御機能と、ガス側閉止弁３６および液側閉止弁３５に対して閉止信号を出力する出力端子３７とが具備されている。【選択図】図１
2015105813.tif 000002
【特許請求の範囲】
【請求項１】
室外制御装置を備えた１台の室外ユニットに対して、少なくとも１台以上の室内ユニットが渡りガス配管および渡り液配管を介して接続されている空気調和機において、
前記室外ユニット側の冷媒回路に設けたガス側操作弁および液側操作弁の近傍で前記渡りガス配管および前記渡り液配管に、ガス側閉止弁および液側閉止弁が設けられ、
前記室外制御装置に、緊急停止信号に基づいて前記液側閉止弁を閉止し、冷房サイクルとして運転を継続させ、低圧圧力が設定圧に達したとき、前記ガス側閉止弁を閉止するとともに、空気調和機の運転を停止する緊急停止制御機能と、前記ガス側閉止弁および前記液側閉止弁に対して閉止信号を出力する出力端子とが具備されていることを特徴とする空気調和機。
【請求項２】
前記空気調和機は、前記渡りガス配管および前記渡り液配管に、前記室内ユニットが複数台並列に接続されたマルチ形空気調和機とされ、
前記室外ユニット側の冷媒回路中にレシーバが設けられた構成とされていることを特徴とする請求項１に記載の空気調和機。
【請求項３】
前記室外制御装置に、前記緊急停止信号に基づいて直ちに空気調和機の運転を停止する直緊急停止機能と、前記緊急停止信号に基づいて冷媒を前記緊急停止制御により前記室外ユニット側に移動した後、空気調和機の運転を停止する前記緊急停止制御機能とが具備され、いずれかに切替え設定可能な構成とされていることを特徴とする請求項１または２に記載の空気調和機。
【請求項４】
前記室外制御装置は、外部機器またはユニット内蔵機器からの前記緊急停止信号の入力により作動可能とされていることを特徴とする請求項１ないし３のいずれかに記載の空気調和機。
【発明の詳細な説明】
【技術分野】
【０００１】
本発明は、災害発生時や冷媒漏れ発生時等の緊急時に、空気調和機の運転を停止する機能を備えた空気調和機に関するものである。
【背景技術】
【０００２】
従来の空気調和機は、地震や火災等の災害発生時や冷媒漏れ発生時等の緊急停止事態が発生した場合、外部機器あるいはユニット内蔵機器からの入力信号に基づいて、直ちに空気調和機の運転を停止する緊急停止機能を備えていた。
【０００３】
一方、上記したような緊急停止事態が発生したとき、冷媒回路の高圧液配管側に設けられている電磁弁や電子膨張弁を閉止し、冷凍サイクルを冷房サイクルで運転して室内ユニット側の冷媒を室外ユニット側に移動させ、低圧圧力が設定圧以下に低下したとき、低圧ガス配管側に設けられている電磁弁を閉止あるいは四方切換弁を冷房位置に維持することによって、冷媒を室外ユニット側の室外熱交換器等に溜め込み、室内への冷媒流出を防止するようにしたものが提供されている（特許文献１ないし３参照）。
【先行技術文献】
【特許文献】
【０００４】
【特許文献１】特開２０００−２８２３８号公報
【特許文献２】特開２０００−２７４８４７号公報
【特許文献３】特許第３５３０９８３号公報
【発明の概要】
【発明が解決しようとする課題】
【０００５】
しかしながら、上記特許文献１ないし３に示されるように、緊急停止事態が発生時、室内ユニット側の冷媒を室外ユニット側に移動させて溜め込むため、冷媒回路中に緊急停止時に開閉制御される電磁弁等の弁を組み込み、その電磁弁を緊急停止事態が発生したときに制御装置を介して開閉制御する構成としたものでは、緊急停止制御機能を有する仕様の空気調和機と、有しない仕様の空気調和機とを必要に応じて任意に選択して使い分けするようなことはできなかった。
【０００６】
このため、いずれかの仕様の空気調和機を必要に応じて任意に選択して使い分けできるようにするには、上記の如く仕様の異なる２種の空気調和機を予め生産しておくことが不可欠となり、生産効率の低下や製品管理上の煩雑化を招く等の課題があった。
【０００７】
本発明は、このような事情に鑑みてなされたものであって、緊急停止制御機能をオプション的に追加可能な構成とし、緊急停止制御機能を備えている空気調和機、備えていない空気調和機の選択を簡易化できる空気調和機を提供することを目的とする。
【課題を解決するための手段】
【０００８】
上記した課題を解決するために、本発明の空気調和機は、以下の手段を採用する。
すなわち、本発明にかかる空気調和機は、室外制御装置を備えた１台の室外ユニットに対して、少なくとも１台以上の室内ユニットが渡りガス配管および渡り液配管を介して接続されている空気調和機において、前記室外ユニット側の冷媒回路に設けたガス側操作弁および液側操作弁の近傍で前記渡りガス配管および前記渡り液配管に、ガス側閉止弁および液側閉止弁が設けられ、前記室外制御装置に、緊急停止信号に基づいて前記液側閉止弁を閉止し、冷房サイクルとして運転を継続させ、低圧圧力が設定圧に達したとき、前記ガス側閉止弁を閉止するとともに、空気調和機の運転を停止する緊急停止制御機能と、前記ガス側閉止弁および前記液側閉止弁に対して閉止信号を出力する出力端子とが具備されていることを特徴とする。
【０００９】
本発明によれば、室外ユニットに対し、室内ユニットが渡りガス配管および渡り液配管を介して接続されている空気調和機にあって、渡りガス配管および渡り液配管の接続用に室外ユニット側の冷媒回路に設けたガス側操作弁および液側操作弁の近傍で渡りガス配管および渡り液配管に、ガス側閉止弁および液側閉止弁が設けられ、室外制御装置に、緊急停止信号に基づいて液側閉止弁を閉止し、冷房サイクルとして運転を継続させ、低圧圧力が設定圧に達したとき、ガス側閉止弁を閉止するとともに、空気調和機の運転を停止する緊急停止制御機能と、ガス側閉止弁および液側閉止弁に対して閉止信号を出力する出力端子と、が具備されているため、緊急停止制御機能を備えた仕様の空気調和機とする場合、現地の据え付け工事で、室外ユニット側のガス側操作弁および液側操作弁に接続される渡りガス配管および渡り液配管にガス側閉止弁および液側閉止弁を設け、そのガス側閉止弁および液側閉止弁を室外制御装置の出力端子に電気的に結線し、室外制御装置を介してガス側閉止弁および液側閉止弁を閉止可能とすることにより、緊急停止制御機能を備えた空気調和機として据え付けることができる一方、緊急停止制御機能を備えていない仕様の空気調和機とする場合は、渡りガス配管および渡り液配管にガス側閉止弁および液側閉止弁を設けずに、ガス側操作弁および液側操作弁に直接渡りガス配管および渡り液配管を接続して据え付ければよく、これによって、緊急停止制御機能付きの室外制御装置を組み込んだ室外ユニットを共用化し、現地の据え付け工事で、渡りガス配管および渡り液配管にガス側閉止弁および液側閉止弁を設けるか、設けないかで緊急停止制御機能を備えた空気調和機、備えていない空気調和機のいずれかが簡易に選択可能となり、生産効率の低下や製品管理上の煩雑さを解消することができる。
【００１０】
さらに、本発明の空気調和機は、上記の空気調和機において、前記空気調和機は、前記渡りガス配管および前記渡り液配管に、前記室内ユニットが複数台並列に接続されたマルチ形空気調和機とされ、前記室外ユニット側の冷媒回路中にレシーバが設けられた構成とされていることを特徴とする。
【００１１】
本発明によれば、空気調和機が、渡りガス配管および渡り液配管に、室内ユニットが複数台並列に接続されたマルチ形空気調和機とされ、室外ユニット側の冷媒回路中にレシーバが設けられた構成とされているため、緊急停止制御時、複数台の室内ユニットからの冷媒を室外ユニット側に移動させ、その冷媒を室外熱交換器およびレシーバを含む室外ユニット側の機器内に溜め込むことができる。従って、レシーバの容量等を適宜設定し、サイクル内の冷媒を室外ユニット側に溜め込むことにより、災害発生時や冷媒漏れ発生時等の緊急停止事態発生時に、各室内ユニットから室内への冷媒流出のリスクを軽減することができる。
【００１２】
さらに、本発明の空気調和機は、上述のいずれかの空気調和機において、前記室外制御装置に、前記緊急停止信号に基づいて直ちに空気調和機の運転を停止する直緊急停止機能と、前記緊急停止信号に基づいて冷媒を前記緊急停止制御により前記室外ユニット側に移動した後、空気調和機の運転を停止する前記緊急停止制御機能とが具備され、いずれかに切替え設定可能な構成とされていることを特徴とする。
【００１３】
本発明によれば、室外制御装置に、緊急停止信号に基づいて直ちに空気調和機の運転を停止する直緊急停止機能と、緊急停止信号に基づいて冷媒を緊急停止制御により室外ユニット側に移動した後、空気調和機の運転を停止する緊急停止制御機能とが具備され、いずれかに切替え設定可能な構成とされているため、室外制御装置による空気調和機の緊急停止機能を、緊急停止信号により直ちに空気調和機を停止する直緊急停止機能と、冷媒を室外ユニット側に移動した後、空気調和機を停止する緊急停止制御機能とのいずれかに、例えば切替えスイッチ等によって切替え設定することができる。従って、空気調和機が設置された状況等に応じて、いずれかの緊急停止機能を任意に選択し、設定することが可能となる。
【００１４】
さらに、本発明の空気調和機は、上述のいずれかの空気調和機において、前記室外制御装置は、外部機器またはユニット内蔵機器からの前記緊急停止信号の入力により作動可能とされていることを特徴とする。
【００１５】
本発明によれば、室外制御装置が、外部機器またはユニット内蔵機器からの前記緊急停止信号の入力により作動可能とされているため、例えば火災報知器や地震計等の外部機器からの緊急停止信号あるいは冷媒漏れ検知器等のユニット内蔵機器からの緊急停止信号の双方の入力により室外制御装置の緊急停止機能を作動させることができる。従って、多様な緊急停止事態に対して、十分にその機能を発揮させ、空気調和機を所要の状態で緊急停止させることにより初期の目的を達成することができる。
【発明の効果】
【００１６】
本発明によると、緊急停止制御機能を備えた仕様の空気調和機とする場合、現地の据え付け工事で、室外ユニット側のガス側操作弁および液側操作弁に接続される渡りガス配管および渡り液配管にガス側閉止弁および液側閉止弁を設け、そのガス側閉止弁および液側閉止弁を室外制御装置の出力端子に電気的に結線し、室外制御装置を介してガス側閉止弁および液側閉止弁を閉止可能とすることにより、緊急停止制御機能を備えた空気調和機として据え付けることができる一方、緊急停止制御機能を備えていない仕様の空気調和機とする場合は、渡りガス配管および渡り液配管にガス側閉止弁および液側閉止弁を設けず、そのままガス側操作弁および液側操作弁に渡りガス配管および渡り液配管を接続して据え付ければよく、このため、緊急停止制御機能付きの室外制御装置を組み込んだ室外ユニットを共用化し、現地の据え付け工事で、渡りガス配管および渡り液配管にガス側閉止弁および液側閉止弁を設けるか、設けないかによって、緊急停止制御機能を備えた空気調和機、備えていない空気調和機のいずれかが簡易に選択可能となり、生産効率の低下や製品管理上の煩雑さを解消することができる。
【図面の簡単な説明】
【００１７】
【図１】本発明の一実施形態に係る空気調和機の構成図である。
【図２】図１に示す空気調和機の異常動作時の制御フローチャート図である。
【発明を実施するための形態】
【００１８】
以下に、本発明の一実施形態について、図１および図２を参照して説明する。
図１には、本発明の一実施形態に係る空気調和機の構成図が示され、図２には、その空気調和機の異常動作時の制御フローチャート図が示されている。
空気調和機１として、本実施形態においては、１台の室外ユニット２に対して、複数台の室内ユニット３Ａ，３Ｂが、室外ユニット２から延長される渡りガス配管４と渡り液配管５との間に、分岐器６を介して並列に接続されたマルチタイプの空気調和機１が示されている。
【００１９】
室外ユニット２は、冷媒を圧縮するインバータ駆動の圧縮機１０と、冷媒ガス中から油を分離する油分離器１１と、冷媒の循環方向を切換える四方切換弁１２と、冷媒と外気とを熱交換させる室外熱交換器１３と、室外側電子膨張弁（ＥＥＶＨ）１４と、液冷媒を貯留するレシーバ１５と、液冷媒に過冷却を付与する過冷却熱交換器１６と、過冷却熱交換器１６に分流される冷媒量を制御する過冷却用電子膨張弁（ＥＥＶＳＣ）１７と、圧縮機１０に吸入される冷媒ガス中から液分を分離し、ガス分のみを圧縮機１０側に吸入させるアキュームレータ１８と、ガス側操作弁１９および液側操作弁２０と、を備えている。
【００２０】
室外ユニット２側の上記各機器は、冷媒配管２１を介して公知の如く接続され、室外側冷媒回路２２を構成している。また、室外ユニット２には、油分離器１１で分離された油を所定量ずつ圧縮機１０に戻すための油戻し回路２３が設けられているとともに、高圧スイッチ２４、高圧センサ２５、低圧センサ２６、室外制御装置２７、室外熱交換器１３に対して外気を通風する図示省略の室外ファン等が設けられている。
【００２１】
渡りガス配管４および渡り液配管５は、室外ユニット２側のガス側操作弁１９および液側操作弁２０に接続される冷媒配管であり、現場での据え付け工事の際、室外ユニット２とそれに接続される複数台の室内ユニット３Ａ，３Ｂとの間の距離に応じて、その配管長が設定されるようになっている。渡りガス配管４および渡り液配管５の途中には、適宜数の分岐器６が設けられ、その分岐器６を介して適宜台数の室内ユニット３Ａ，３Ｂが並列に接続されている。これにより、密閉された１系統の冷凍サイクル（冷媒回路）７が構成されている。
【００２２】
室内ユニット３Ａ，３Ｂは、室内空気を冷媒と熱交換させて室内の空調に供する室内熱交換器２８と、室内側電子膨張弁（ＥＥＶＣ）２９と、室内空気を室内熱交換器２８に循環させる図示省略の室内ファン等とを備えており、室内側の分岐ガス配管４Ａ，４Ｂおよび分岐液配管５Ａ，５Ｂを介して分岐器６に接続されている。
【００２３】
上記の空気調和機１において、冷房運転は、以下のように行われる。
圧縮機１０で圧縮され、吐出された高温高圧の冷媒ガスは、油分離器１１で冷媒中に含まれている油が分離される。その後、冷媒ガスは、四方切換弁１２により室外熱交換器１３側に循環され、室外熱交換器１３で室外ファンにより送風される外気と熱交換して凝縮液化される。この液冷媒は、室外側電子膨張弁１４を通過し、レシーバ１５内にいったん貯留される。
【００２４】
レシーバ１５で循環量が調整された液冷媒は、過冷却熱交換器１６を経て液配管側を流通される過程で、液配管から一部が分流され、過冷却用電子膨張弁（ＥＥＶＳＣ）１７で断熱膨張された冷媒と熱交換されて過冷却度が付与される。この液冷媒は、液側操作弁２０を経て室外ユニット２から渡り液配管５に導かれる。更に渡り液配管５に導出された液冷媒は、分岐器６を介して各室内ユニット３Ａ，３Ｂの分岐液配管５Ａ，５Ｂへと分流される。
【００２５】
分岐液配管５Ａ，５Ｂに分流された液冷媒は、各室内ユニット３Ａ，３Ｂに流入し、室内側電子膨張弁（ＥＥＶＣ）２９により断熱膨張され、気液二相流となって室内熱交換器２８に流入される。室内熱交換器２８では、室内ファンにより循環される室内空気と冷媒とが熱交換され、室内空気は冷却されて室内の冷房に供される。一方、冷媒は蒸発ガス化され、分岐ガス配管４Ａ，４Ｂを経て分岐器６に至り、他の室内機からの冷媒ガスと渡りガス配管４で合流される。
【００２６】
渡りガス配管４で合流された冷媒ガスは、再び室外ユニット２側に戻り、ガス側操作弁１９、四方切換弁１２を経て、過冷却熱交換器１６からの冷媒ガスと合流された後、アキュームレータ１８に導入される。アキュームレータ１８では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００２７】
一方、暖房運転は、以下のように行われる。
圧縮機１０により圧縮され、吐出された高温高圧の冷媒ガスは、油分離器１１で冷媒中に含まれている油が分離された後、四方切換弁１２を介してガス側操作弁１９側に循環される。ガス側操作弁１９側に循環された冷媒は、渡りガス配管４を経て室外ユニット２から送出され、更に分岐器６、室内側の分岐ガス配管４Ａ，４Ｂを経て複数台の室内ユニット３Ａ，３Ｂに導かれる。
【００２８】
室内ユニット３Ａ，３Ｂに導入された高温高圧の冷媒ガスは、室内熱交換器３０で室内ファンを介して循環される室内空気と熱交換され、室内空気は加熱されることにより暖房に供される。一方、室内熱交換器２８で凝縮液化された液冷媒は、室内側電子膨張弁（ＥＥＶＣ）２９、分岐液配管５Ａ，５Ｂを経て分岐器６に至り、他の室内ユニットからの液冷媒と合流された後、渡り液配管５を経て室外ユニット２側に戻る。
【００２９】
なお、暖房運転時、室内ユニット３Ａ，３Ｂでは、凝縮器として機能する室内熱交換器２８の冷媒出口温度（以下、熱交出口温度という。）または冷媒過冷却度が目標値となるように、室内側電子膨張弁（ＥＥＶＣ）２９の開度が制御されるようになっている。室外ユニット２側に戻った冷媒は、液側操作弁２０を経て過冷却熱交換器１６に至り、冷房時の場合と同様に過冷却が付与された後、レシーバ１５流入され、いったん貯留されることにより循環量が調整される。この液冷媒は、室外側電子膨張弁（ＥＥＶＨ）１４に供給されて断熱膨張された後、室外熱交換器１３に流入される。
【００３０】
室外熱交換器１３では、室外ファンを介して送風される外気と冷媒とが熱交換されることにより、冷媒は外気から吸熱して蒸発ガス化される。この冷媒は、室外熱交換器１３から四方切換弁１２を経て、過冷却熱交換器１６からの冷媒ガスと合流された後、アキュームレータ１８に導入される。アキュームレータ１８では、冷媒ガス中に含まれている液分が分離されてガス分のみが圧縮機１０に吸入され、圧縮機１０で再び圧縮される。以上のサイクルを繰り返すことによって暖房運転が行われる。
【００３１】
さらに、本実施形態では、空気調和機１の運転を制御する室外制御装置２７に、地震や火災等の災害発生時や冷媒漏れ発生時等の緊急停止事態が発生した時、空気調和機１の運転を緊急停止する緊急停止制御部が付加された構成とされている。
この緊急停止制御部は、火災報知器や地震計等の外部機器３０や冷媒漏れ検知器等のユニット内蔵機器３１から緊急停止信号が入力されると、直ちに空気調和機１の運転を停止する直緊急停止部３２と、室内ユニット３Ａ，３Ｂ側の冷媒を室外ユニット２側に移動させた後、空気調和機１の運転を停止する緊急停止制御部３３とを備え、いずれかが切替えスイッチ３４により切替え設定可能とされている。
【００３２】
直緊急停止部３２は、外部機器３０あるいはユニット内蔵機器３１から緊急停止信号が入力されたとき、直ちに空気調和機１の運転を停止する機能を有するものである。
一方、緊急停止制御部３３は、図２に示されるように、室内ユニット３Ａ，３Ｂ側の冷媒を室外ユニット２側に汲み上げ移動する、いわゆるポンプダウン運転を行った後、空気調和機１の運転を停止する機能を有するものである。以下に、この緊急停止制御部３３の機能を図２に基づいて詳しく説明する。
【００３３】
まず、ステップＳ１において、外部機器３０またはユニット内蔵機器３１から緊急停止信号が入力されると、ステップＳ２に進んで液側閉止弁３５を閉止する。その後、ステップＳ３に移行し、ここで冷房運転か否かが判断され、冷房運転中であれば、冷凍サイクル７を冷房サイクルに維持してステップＳ４に進み、暖房運転中であれば、ステップＳ５に移行して暖房サイクルを冷房サイクルに切換えた後、ステップＳ４に進む。ステップＳ４では、圧縮機１０の駆動周波数を設定周波数として運転を継続する。
【００３４】
この冷房サイクルによるポンプダウン運転により、室内ユニット３Ａ，３Ｂ側の冷媒が室外ユニット２側の室外熱交換器１３やレシーバ１５等の機器、あるいは冷媒配管内に汲み上げられる。ポンプダウン運転中、ステップＳ６で低圧センサ２６により低圧が監視されており、室外ユニット２側への冷媒の汲み上げにより低圧センサ２６の検出値が設定圧以下に低下すると、ステップＳ７に移行し、ガス側閉止弁３６を閉止するとともに、圧縮機１０を停止して空気調和機１の運転を停止する。これにより、冷媒を室外ユニット２側に溜め込んだ状態として空気調和機１の運転を停止することができる。
【００３５】
また、緊急停止時に緊急停止制御部３３により閉止される液側閉止弁３５およびガス側閉止弁３６は、各々電磁弁とされ、図１に示されるように、室外ユニット２の室外側冷媒回路２２に設けられているガス側操作弁１９および液側操作弁２０の近傍において、渡りガス配管４および渡り液配管５に設置された構成とされている。そして、この液側閉止弁３５およびガス側閉止弁３６は、空気調和機１の現地据付け工事時に、渡りガス配管４および渡り液配管５に接続設置され、室外制御装置２７の信号出力端子３７に電気的に結線されることにより、緊急停止時に上記の如く、緊急停止制御部３３からの閉止信号で閉止されるようになっている。
【００３６】
以上に説明の構成により、本実施形態によれば、以下の作用効果を奏する。
上記空気調和機１においては、地震や火災等の災害発生時や冷媒漏れ発生時等の緊急停止事態が発生した時、それを検知した火災報知器や地震計等の外部機器３０や冷媒漏れ検知器等のユニット内蔵機器３１からの緊急停止信号を受け、室外制御装置２７により空気調和機１を緊急停止する際の停止方法を、切替えスイッチ３４により下記（１），（２）のいずれかに切替え設定することができる。
【００３７】
（１）直緊急停止部３２を選択設定し、緊急停止信号が入力された場合、直ちに空気調和機１の運転を停止するようにする。
（２）緊急停止制御部３３を選択設定し、緊急停止信号が入力された場合、室内ユニット３Ａ，３Ｂ側の冷媒を室外ユニット２側に汲み上げ移動させる、いわゆるポンプダウン運転を行った後、空気調和機１の運転を停止するようにする。
【００３８】
上記（２）の緊急停止制御部３３が選択設定された場合の緊急停止は、緊急停止信号により、先ず液側閉止弁３５が閉止され、冷房運転中であれば冷房サイクルを維持し、暖房運転中であれば暖房サイクルを冷房サイクルに切換えて運転が継続される。このポンプダウン運転で室内ユニット３Ａ，３Ｂ側の冷媒が室外ユニット２側に汲み上げられ、室外熱交換器１３やレシーバ１５等の機器や冷媒配管内に溜め込まれる。冷媒の汲み上げ移動により低圧センサ２６の検出値が設定圧以下に低下したとき、ガス側閉止弁３６が閉止されるとともに、空気調和機１の運転が停止される動作となる。
【００３９】
このため、空気調和機１の冷凍サイクル７中に充填されている冷媒が、室外ユニット２側に汲み上げられ、溜め込まれた状態で空気調和機１が停止されることになり、これによって、緊急停止事態が発生した場合でも、室内ユニット３Ａ，３Ｂから室内への冷媒流出を防止することが可能となる。
【００４０】
一方、本実施形態では、上記（２）の如く、空気調和機１を緊急停止する際、室内ユニット３Ａ，３Ｂ側の冷媒を室外ユニット２側に移動させた状態として停止する緊急停止制御機能を付加するため、液側閉止弁３５およびガス側閉止弁３６を、室外ユニット２側の渡りガス配管４および渡り液配管５が接続されるガス側操作弁１９および液側操作弁２０の近傍において、渡りガス配管４および渡り液配管５に設置した構成とするとともに、この液側閉止弁３５およびガス側閉止弁３６を室外制御装置２７の信号出力端子３７に電気的に結線することにより、緊急停止時に上記の如く、緊急停止制御部３３からの閉止信号により液側閉止弁３５およびガス側閉止弁３６を閉止できる構成としている。
【００４１】
このため、緊急停止制御機能を備えた仕様の空気調和機１とする場合、現地の据え付け工事において、オプション的に渡りガス配管４および渡り液配管５の上記位置に液側閉止弁３５およびガス側閉止弁３６を設けて渡りガス配管４および渡り液配管５をガス側操作弁１９および液側操作弁２０に接続し、その液側閉止弁３５およびガス側閉止弁３６と室外制御装置２７の信号出力端子３７との間を電気的に結線すればよく、また、緊急停止制御機能を備えていない空気調和機とする場合、室外制御装置２７を共用化した室外ユニット２のガス側操作弁１９および液側操作弁２０に、液側閉止弁３５およびガス側閉止弁３６を設けていない渡りガス配管４および渡り液配管５を接続して据え付ければよい。
【００４２】
斯くして、本実施形態によれば、緊急停止制御機能付きの室外制御装置２７を組み込んだ室外ユニット２を共用化し、現地の据え付け工事で、渡りガス配管４および渡り液配管５にガス側閉止弁３６および液側閉止弁３５を設けるか、設けないかによって、緊急停止制御機能を備えた空気調和機１、備えていない空気調和機１のいずれかが簡易に選択可能となり、生産効率の低下や製品管理上の煩雑さを解消することができる。
【００４３】
また、空気調和機１が渡りガス配管４および渡り液配管５に、室内ユニット３Ａ，３Ｂが複数台並列に接続されたマルチ形空気調和機とされ、室外ユニット２側の冷媒回路２２中にレシーバ１５が設けられた構成とされている。このため、緊急停止制御時、複数台の室内ユニット３Ａ，３Ｂからの冷媒を室外ユニット２側に移動させ、その冷媒を室外熱交換器１３およびレシーバ１５を含む室外ユニット２側の機器内に溜め込むことができ、従って、レシーバ１５の容量等を適宜設定し、サイクル内の冷媒を室外ユニット２側に溜め込むことにより、災害発生時や冷媒漏れ発生時等の緊急停止事態発生時に、各室内ユニット３Ａ，３Ｂから室内への冷媒流出を防止することができる。
【００４４】
さらに、本実施形態においては、室外制御装置２７が、緊急停止信号に基づいて直ちに空気調和機１の運転を停止する直緊急停止機能と、緊急停止信号に基づいて冷媒を緊急停止制御により室外ユニット２側に移動した後、空気調和機１の運転を停止する緊急停止制御機能とを具備しており、切替えスイッチ３４によっていずれかに切替え設定可能な構成とされている。
【００４５】
このため、室外制御装置２７による空気調和機１の緊急停止機能を、緊急停止信号により直ちに空気調和機１を停止する直緊急停止機能と、冷媒を室外ユニット２側に移動した後に、空気調和機１を停止する緊急停止制御機能とのいずれかに、切替えスイッチ３４により簡易に切替え設定することができ、これによって、空気調和機１が設置された状況等に応じ、いずれかの緊急停止機能を任意に選択し、設定することが可能となる。
【００４６】
また、室外制御装置２７が、火災報知器や地震計等の外部機器３０または冷媒漏れ検知器等のユニット内蔵機器３１からの緊急停止信号の入力により作動可能とされている。このため、火災報知器や地震計等の外部機器３０からの緊急停止信号あるいは冷媒漏れ検知器等のユニット内蔵機器３１からの緊急停止信号の双方の入力により室外制御装置２７の緊急停止機能を作動させることができる。従って、多様な緊急停止事態に対して、十分にその機能を発揮させ、空気調和機１を所要の状態で緊急停止させることにより初期の目的を達成することができる。
【００４７】
なお、本発明は、上記実施形態にかかる発明に限定されるものではなく、その要旨を逸脱しない範囲において、適宜変形が可能である。例えば、上記実施形態では、マルチタイプの空気調和機１に適用した例について説明したが、室内ユニットが１台接続されたシングルタイプの空気調和機にも同様に適用できることは云うまでもない。
【符号の説明】
【００４８】
１  空気調和機
２  室外ユニット
３Ａ，３Ｂ  室内ユニット
４  渡りガス配管
５  渡り液配管
１５  レシーバ
１９  ガス側操作弁
２０  液側操作弁
２２  室外側冷媒回路
２６  低圧センサ
２７  室外制御装置
３０  外部機器
３１  ユニット内蔵機器
３２  直緊急停止部
３３  緊急停止制御部
３４  切替えスイッチ
３５  液側閉止弁
３６  ガス側閉止弁
３７  出力端子
【図１】
2015105813.tif 000003
【図２】
2015105813.tif 000004